【事件の表示】
　平成８年特許願第２２４４４９号「エキスパンションジョイント」拒絶査定に対する審判事件［平成１０年２月１７日出願公開、特開平１０−４６６８６］について、次のとおり審決する。
【結　論】
　本件審判の請求は、成り立たない。
【理　由】
【１】手続の経緯・本願発明
　本願は、平成８年８月７日の出願であって、その各請求項に係る発明は、平成１４年６月６日付けの手続補正書により補正された明細書、及び図面の記載からみて、その特許請求の範囲の請求項１〜１４に記載された事項により特定される以下のとおりのものである。
「【請求項１】間隙を隔てて相対する建造物躯体のそれぞれの端縁に沿って設けられた支持部材に側ホルダと側カバーとを支持させ、両側の側ホルダに中央ホルダを摺動可能に支持させ、中央ホルダに中央カバーを保持させるエキスパンションジョイントにおいて、
　上記側カバーは上記支持部材上部の取付縁に取付け、該側カバーの躯体側の屈曲端部にパッキンを設け、
　上記中央ホルダの上記間隙の幅方向に沿う長さは、中央カバーの幅寸法と略同じとし、上記支持部材から間隙側に突出する側ホルダの端部と側カバーの上記間隙側の端部は略整合させ、両側の側ホルダは互いに上記間隙の反対側で向き合うとともに中央ホルダを摺動自在に支持し、かつ、両側カバーと中央カバーとを摺動自在に重合させて上記間隙を覆うようにした
ことを特徴とするエキスパンションジョイント。
　【請求項２】〜【請求項１４】（記載を省略）」
　
【２】引用例
　原査定の拒絶の理由に引用された、特開平４−３４１５２号公報（以下、「引用例」という。）には、以下の記載がある。
　「隣接する構造物の壁面に夫々固定される一対の固定体と、
　該両固定体に夫々左右方向に回動可能に嵌着される連結体と、
　前記一方の連結体に固着される第一の摺動腕と、他方の連結体に形成した係入溝に目地方向に沿って摺動可能に遊嵌される第二の摺動腕と、前記両摺動腕の間に配置される保持杆とからなり、両摺動腕と保持杆のいずれか一方を鞘状とし、他方を該鞘の端部に挿入する板状として、保持杆の左右に摺動腕を摺動可能に夫々連結し、前記一対の固定体間に差し渡して配設される伸縮性保持体と、
　前記保持杆に背面を固定される中間カバー板と、前記連結体に端部を固定されて、その内端を前記中間カバー板上に重ね合わされる左右の端部カバー板とからなる目地カバーと
により構成される目地カバー装置。」（１頁左下欄４行〜右下欄１行）
　「［作用］
　構造物が左右方向に相対移動した場合に、第一及び第二の摺動腕が保持杆に対して相対移動する。そして、前記保持杆に固定されている中間カバー板の左右で端部カバー板が隣接する構造物の相対的幅方向移動に追従して、重ね合わせ状態を維持しながら左右方向へ移動する。」（２頁右下欄６〜１２行）
　「１０ａ，１０ｂは、目地部ｙの両側に配設される上下に長いＬ形の連結体であって、……連結体１０ａ，１０ｂの上端には係入溝１２ａ，１２ｂが形成されている。……さらに前記連結体１０ａ，１０ｂの外側には後記するカバー板４３、４３を固定するための取付け翼片１６，１６が形成されている。
　図中右側の連結体１０ａには、基端に断面伏コ字状の鈎状係合端２１ａを備える板状の第一の摺動腕２０ａが該鈎状係合端２１を係入溝１２ａに叩き込んで密嵌することにより移動不能に固結され、その先端部を連結体１０ａ，１０ｂ間に配置している。
　また図中左側の連結体１０ｂには、基端に断面伏コ字状の鈎状係合端２１ｂを備える板状の第二の摺動腕２０ｂが、該鈎状係合端２１を係入構１２ａに遊嵌状に嵌着し、これにより前記連結体１０ｂに対して摺動腕２０ｂを上下方向への摺動を可能として接続され、その先端部を連結体１０ａ，１０ｂ間に配置している。
　そして、前記摺動腕２０ａ，２０ｂには内面に長手方向の開口２４が形成された鞘状保持杆２３が配設され、その左右端から摺動腕２０ａ，２０ｂの端縁を挿入している。また保持杆２３の外面の両端部には、Ｖ形のカバー固定片２５，２５が固着されている。
　而して、前記摺動腕２０ａ，２０ｂ相互を保持杆２３に対して左右方向移動可能に連結し、前記摺動腕２０ａ，２０ｂ，保持杆２３とで、前記目地部ｙに対して左右に差し渡された、伸縮性保持体２６を構成している。」（３頁右上欄７行〜右下欄６行）
　「ホルダー３０を連結体１０ａ，１０ｂに差し渡し、前記隣接する構造物ｘ，ｘの左右方向の移動にともない係合溝１４，１４の案内作用により連結杆２８を中心に傾動し、その左右方向幅を該移動に追従して変動させるようにしている。
　このため、構造物ｘ，ｘが左右方向に移動しても、ホルダー３０の中心に挿通した連結杆２８は、常に構造物ｘ，ｘの中央位置に配置されることとなる。従って保持杆２３は、常に構造物ｘ，ｘの中央に差し渡されることとなる。」（４頁左上欄６〜１６行）
　「前記保持杆２３には中間カバー板４０が固定される。この中間カバー板４０の両端部４１，４１は前記カバー固定片２５，２５と同一角度で前方に鈍角状に屈曲しており、カバー固定片２５，２５と端部４１，４１とを重ね合わせて螺子固定することにより、前記中間カバー板４０の背部に保持杆２３が固着される。
　さらに前記中間カバー板４０の両側には端部カバー板４３，４３がその端縁を中間カバー板４０の前部に重ね合わせ、かつ端縁を前記連結体１０ａ，１０ｂに固定して配設される。すなわち、前記端部カバー板４３，４３は、その内端が内方へ端部４１，４１とほぼ同角度の鈍角状に屈曲して重合わせ端４４を形成し、自由端となる該重合わせ端４４を前記中間カバー板４０の前面に当接している。またその側端には内方へ直角して、その内端に屈曲端４５を形成し、該屈曲端４５を取付け翼片１６，１６に螺子固定して、前記端部カバー板４３，４３のその外端を連結体１０ａ，１０ｂに固定している。
　而して、前記中間カバー板４０，端部カバー板４３，４３で目地部ｙを覆う目地カバー４７を構成される。尚、このとき前記中間カバー板４０は、ホルダー３０の中央部の位置決め作用により、保持杆２３を介して、構造物の中央に常に支持されることとなる。
　その他連結体１０ａ，１０ｂの取付け翼片１６，１６の外面とモルタル５０との間には可撓性シール材５１，５１が埋め込まれる。」（４頁右上欄４行〜左下欄１２行）
　「地震や暴風雨等によって構造物ｘ，ｘ相互が相対変位した増合や、構造物ｘ，ｘに施工誤差を生じている場合において、連結体１０ａ，１０ｂ間の相対的左右方向移動は、伸縮性保持体２６の摺動腕２０ａ，２０ｂが保持杆２３の両側で摺動し、中間カバー板４０と両側の端部カバー板４３，４３とが相対的に左右方向移動することにより吸収される。この場合に、その最大離間距離は、前記端部カバー板４３，４３の重合わせ端４４が中間カバー板４０の端部４１，４１と当接する位置まで許容される。従って、左右の中間カバー板４０，端部カバー板４３，４３との重ね合わせ幅の二倍の左右方向移動が許容され、カバー板が二枚重なって構成される従来構成に比してその左右の離間許容幅が大幅に向上することとなる。」（４頁左下欄１５行〜右下欄９行）
　そして、第１，３図に、鞘状保持杆２３の目地部ｙ間隙の幅方向に沿う長さは、中間カバー板４０の幅寸法と略同じとし、連結体１０ａ，１０ｂから目地部ｙ側に突出する摺動腕２０ａ，２０ｂの端部と端部カバー板４３，４３の上記目地部ｙの端部は略整合されていることが記載されていることが、当業者に明らかな事項である。
　したがって、引用例には、次の発明が記載されていると認められる。
「目地部ｙを隔てて相対する構造物ｘ，ｘのそれぞれの端縁に沿って設けられた連結体１０ａ，１０ｂに摺動腕２０ａ，２０ｂと端部カバー板４３，４３とを支持させ、両側の摺動腕２０ａ，２０ｂに鞘状保持杆２３を摺動可能に支持させ、鞘状保持杆２３に中間カバー板４０を保持させる伸縮目地カバー装置において、
　上記端部カバー板４３，４３は、その屈曲端４５を上記連結体１０ａ，１０ｂの外側に設けた取付翼片１６，１６に螺子固定して取付け、該取付翼片１６，１６の外面と（外壁）モルタル５０との間に可撓性シール材５１，５１を設け、上記鞘状保持杆２３の目地部ｙ間隙の幅方向に沿う長さは、中間カバー板４０の幅寸法と略同じとし、上記連結体１０ａ，１０ｂから目地部ｙ側に突出する摺動腕２０ａ，２０ｂの端部と端部カバー板４３，４３の上記目地部ｙの端部は略整合させ、両側の摺動腕２０ａ，２０ｂは互いに上記目地部ｙの反対側で向き合うとともに鞘状保持杆２３を摺動自在に支持し、かつ、両端部カバー板４３，４３と中間カバー板４０とを摺動自在に重合させて上記目地部ｙを覆うようにした、伸縮目地カバー装置。」
　
【３】対比・判断
　本願発明と引用例記載の発明とを対比すると、引用例記載の発明の「目地部ｙ」、「構造物ｘ，ｘ」、「連結体１０ａ，１０ｂ」、「摺動腕２０ａ，２０ｂ」、「端部カバー板４３，４３」、「鞘状保持杆２３」、「中間カバー板４０」、「伸縮目地カバー装置」、「取付翼片１６，１６」、及び「可撓性シール材５１，５１」は、本願発明の「間隙」、「建造物躯体」、「支持部材」、「側ホルダ」、「側カバー」、「中央ホルダ」、「中央カバー」、「エキスパンションジョイント」、「取付縁」、及び「パッキン」にそれぞれ相当するから、両者は、
「間隙を隔てて相対する建造物躯体のそれぞれの端縁に沿って設けられた支持部材に側ホルダと側カバーとを支持させ、両側の側ホルダに中央ホルダを摺動可能に支持させ、中央ホルダに中央カバーを保持させるエキスパンションジョイントにおいて、上記側カバーは上記支持部材の取付縁に取付け、該側カバーの躯体側の端部にパッキンを設け、上記中央ホルダの上記間隙の幅方向に沿う長さは、中央カバーの幅寸法と略同じとし、上記支持部材から間隙側に突出する側ホルダの端部と側カバーの上記間隙側の端部は略整合させ、両側の側ホルダは互いに上記間隙の反対側で向き合うとともに中央ホルダを摺動自在に支持し、かつ、両側カバーと中央カバーとを摺動自在に重合させて上記間隙を覆うようにしたエキスパンションジョイント。」である点で一致し、次の点で相違している。
　相違点：
　本願発明は、側カバーの取付けをする取付縁が支持部材の上部に設けられ、パッキンは側カバーの屈曲端部に設けているのに対し、引用例記載の発明は、側カバーの取付けをする取付縁が支持部材の外側に設けられ、パッキンは取付翼片の外面と（外壁）モルタルとの間に設けている点
　上記相違点について検討する。
　本願出願前、エキスパンションジョイントのカバー材の屈曲端部に建造物躯体の外面に当接するパッキンを設けることは、周知の技術であり（例えば、実願昭５９−８７９０３号（実開昭６１−３８１３号）のマイクロフィルム、実願昭６３−１０４４７１号（実開平２−２５６０５号）のマイクロフィルム等参照。）、かかるカバー材の屈曲端部にパッキンを設けたものを、引用例記載の発明に代えて適用する際に、上記相違点における本願発明のようにカバー材の取付けをする外側（外方を向く）取付縁を支持部材の上端部に設けることは、当業者であれば、適宜容易に設計変更し得ることにすぎない。そして、上記相違点により奏される効果にも格別なものがあるとはいえない。
　
【４】むすび
  以上のとおり、本願の請求項１に係る発明は、引用例記載の発明及び周知技術に基いて当業者が容易に発明をすることができたものであり、特許法第２９条第２項の規定により特許を受けることができないものであるから、本願は、拒絶すべきものである。
　よって、結論のとおり審決する。